(57)【要約】【課題】特に、ベッドを利用する被介護者が水分を摂取するための飲料用容器を載置保持するために使用するのに好適な水分摂取補助具を提供する。【解決手段】水分摂取補助具１は、ベッド９のサイドレール１０の内側に取り付けられる取付部材２と、当該取付部材２の正面側に略垂直に連結される飲料用容器保持部材３と、を備える。飲料用容器保持部材３は、連結端側の第１飲料用カップ保持部４と、自由端側の第２飲料用カップ保持部５と、からなる。第１飲料用カップ保持部４には、飲料用カップ１１を載置保持するための有底の第１飲料用カップ保持孔４ａが穿設され、第２飲料用カップ保持部５には、飲料用カップ１１を載置保持するための貫通した第２飲料用カップ保持孔５ａが穿設されている。第２飲料用カップ保持部５は、第１飲料用カップ保持部４に対し折り畳み可能に設けられている。【選択図】図６
0003227792.tif 000002
【実用新案登録請求の範囲】
【請求項１】
ベッドの一部に着脱可能に取り付けて、被介護者が水分を摂取するための飲料用容器を載置保持するために使用される水分摂取補助具であって、
前記ベッドの一部の内側に取り付けられる取付部材と、
少なくとも前記水分摂取補助具の使用状態において、前記取付部材の正面側に略垂直に連結される飲料用容器保持部材と、
を備え、
前記飲料用容器保持部材は、連結端側の第１飲料用容器保持部と、自由端側の第２飲料用容器保持部と、からなり、
前記第１飲料用容器保持部には、前記飲料用容器を載置保持するための貫通した又は有底の第１飲料用容器保持孔が穿設され、
前記第２飲料用容器保持部には、前記飲料用容器を載置保持するための貫通した第２飲料用容器保持孔が穿設され、
前記第２飲料用容器保持部は、前記第１飲料用容器保持部に対し折り畳み可能に設けられていることを特徴とする水分摂取補助具。
【請求項２】
前記第２飲料用容器保持部を、前記第１飲料用容器保持部に対し折り畳んだ状態において、前記第１飲料用容器保持孔と前記第２飲料用容器保持孔とは、連接した状態となる、請求項１に記載の水分摂取補助具。
【請求項３】
前記第１及び第２飲料用容器保持孔の内周面には、それぞれ、前記飲料用容器の取っ手が嵌まり込む第１切り欠きと第２切り欠きとが形成され、
前記第２飲料用容器保持部を、前記第１飲料用容器保持部に対し折り畳んだ状態において、前記第１切り欠きと前記第２切り欠きとは、連接した状態となる、請求項１又は２に記載の水分摂取補助具。
【請求項４】
前記飲料用容器保持部材は、前記取付部材に対し折り畳み可能に設けられている、請求項１から３のいずれか1項に記載の水分摂取補助具。
【考案の詳細な説明】
【技術分野】
【０００１】
本考案は、水分摂取補助具に関する。さらに詳細には、本考案は、例えば、ベッドのサイドレールに着脱可能に取り付けて、ベッドを利用する被介護者が水分を摂取するための飲料用容器を載置保持するために使用される水分摂取補助具に関する。
【背景技術】
【０００２】
病院のベッドには、いわゆる頭床台やサイドワゴンが付属して設置され、その内部や上面に、ベッド使用者が使用したり消費したりする洗面具、タオル、着替え、食料、飲料などが収容されたり載置されたりして保管されている。
【０００３】
しかし、飲み物が入ったカップやコップ等の飲料用容器が床頭台やサイドワゴンの上面に載置されていると、ベッド使用者（患者）は、一旦ベッドに腰掛けたり、あるいは、立ち上がるなどして、飲料用容器を取ったり置いたりする必要があり、水分の摂取動作に煩わしさを感じるという課題があった。
【０００４】
そこで、従来、ベッドのサイドレールに取り付けて使用するベッド用ドリンクホルダー（水分摂取補助具）が提案されている（例えば、特許文献１を参照）。
特許文献１に開示されたベッド用ドリンクホルダーの第１の構成は、ベッドのサイドレールの外側に取り付けることを基本とし、コップの飲み口が最上部の上に出るドリンクホルダーであり、前記サイドレールのパイプへの接続には上下の接続部により取り付けることを特徴としている（特許文献１の請求項１）。
特許文献１に開示されたベッド用ドリンクホルダーの第２の構成は、ベッドのサイドレールの外側に取り付けることを基本とし、コップの飲み口が最上部の上に出るドリンクホルダーであり、前記サイドレールのパイプへの接続には上側を接続部により取り付け、下側に前記サイドレールのパイプに当たる傾斜防止部を有することを特徴としている（特許文献１の請求項２）。
【先行技術文献】
【特許文献】
【０００５】
【特許文献１】実用新案登録第３２１６２３４号公報
【考案の概要】
【考案が解決しようとする課題】
【０００６】
しかし、特許文献１に開示されたベッド用ドリンクホルダーでは、ベッドのサイドレールの外側に取り付けることを基本としているため、ベッド使用者（患者）は、水分を摂取しようとするたびに一旦ベッドの上に起き上がる必要がある。従って、当該ベッド用ドリンクホルダーは、ベッドを利用する被介護者が水分を摂取するための飲料用容器を載置保持するために使用するには不向きである。
また、仮に当該ベッド用ドリンクホルダーを、ベッドのサイドレールの内側に取り付けたとしても、コップの飲み口がドリンクホルダーの最上部の上に出るように構成されているため、ベッド使用者（患者）は、水分を摂取しようとするたびに一旦ベッドの上に起き上がる必要がある。従って、このように取り付けた場合であっても、当該ベッド用ドリンクホルダーは、ベッドを利用する被介護者が水分を摂取するための飲料用容器を載置保持するために使用するには不向きである。
【０００７】
本考案は、従来技術における前記課題を解決するためになされたものであり、特に、ベッドを利用する被介護者が水分を摂取するための飲料用容器を載置保持するために使用するのに好適な水分摂取補助具を提供することを目的とする。
【課題を解決するための手段】
【０００８】
前記目的を達成するため、本考案に係る水分摂取補助具の構成は、
（１）ベッドの一部に着脱可能に取り付けて、被介護者が水分を摂取するための飲料用容器を載置保持するために使用される水分摂取補助具であって、
前記ベッドの一部の内側に取り付けられる取付部材と、
少なくとも前記水分摂取補助具の使用状態において、前記取付部材の正面側に略垂直に連結される飲料用容器保持部材と、
を備え、
前記飲料用容器保持部材は、連結端側の第１飲料用容器保持部と、自由端側の第２飲料用容器保持部と、からなり、
前記第１飲料用容器保持部には、前記飲料用容器を載置保持するための貫通した又は有底の第１飲料用容器保持孔が穿設され、
前記第２飲料用容器保持部には、前記飲料用容器を載置保持するための貫通した第２飲料用容器保持孔が穿設され、
前記第２飲料用容器保持部は、前記第１飲料用容器保持部に対し折り畳み可能に設けられていることを特徴とする。
【０００９】
本考案の水分摂取補助具の上記（１）の構成によれば、取付部材を、ベッドの例えばサイドレールの内側に取り付け、取付部材の正面側に略垂直に連結される飲料用容器保持部材を、ベッドの例えばシーツ等の上方に配置することができる。飲み物が入った飲料用容器は、第１及び第２飲料用容器保持孔（第２飲料用容器保持部を折り畳んだ状態）あるいは第２飲料用容器保持孔（第２飲料用容器保持部を開いた状態）に載置保持され、被介護者は、ベッドに寝たままの状態やベッドをギャッチアップした状態でも、例えばストロー等を使って、飲料用容器内の飲み物（水分）を摂取することができる。
従って、本考案の水分摂取補助具の上記（１）の構成によれば、ベッドを利用する被介護者が水分を摂取するための飲料用容器を載置保持するために使用するのに好適な水分摂取補助具を提供することが可能となる。
また、第２飲料用容器保持部を、第１飲料用容器保持部に対し開いた状態にして使用し、飲料用容器を第２飲料用容器保持孔に載置して保持すれば、より寝たきりの被介護者の近くに飲料用容器を置くことができる。従って、かかる使用態様によれば、ベッドを利用する被介護者が水分を摂取するための飲料用容器を載置保持するために使用するのにさらに好適となる。
【００１０】
本考案の水分摂取補助具の上記（１）の構成においては、以下の（２）から（４）のような構成にすることが好ましい。
【００１１】
（２）前記第２飲料用容器保持部を、前記第１飲料用容器保持部に対し折り畳んだ状態において、前記第１飲料用容器保持孔と前記第２飲料用容器保持孔とは、連接した状態となる。
【００１２】
上記（２）の好ましい構成によれば、第２飲料用容器保持部を、第１飲料用容器保持部に対し折り畳んだ状態において、第１及び第２飲料用容器保持孔に飲料用容器をうまく載置して保持することが可能となる。
【００１３】
（３）前記第１及び第２飲料用容器保持孔の内周面には、それぞれ、前記飲料用容器の取っ手が嵌まり込む第１切り欠きと第２切り欠きとが形成され、
前記第２飲料用容器保持部を、前記第１飲料用容器保持部に対し折り畳んだ状態において、前記第１切り欠きと前記第２切り欠きとは、連接した状態となる。
【００１４】
上記（３）の好ましい構成によれば、第２飲料用容器保持部を、第１飲料用容器保持部に対し折り畳んだ状態において、第１及び第２飲料用容器保持孔に飲料用容器を載置して保持したときに、飲料用容器の取っ手を、連接した状態の第１及び第２切り欠きに嵌まり込ませることができる。そして、これにより、飲料用容器を安定的に保持することが可能となる。
【００１５】
（４）前記飲料用容器保持部材は、前記取付部材に対し折り畳み可能に設けられている。
【００１６】
上記（４）の好ましい構成によれば、飲料用容器保持部材を、取付部材に対し折り畳むことにより、前記取付部材と前記飲料用容器保持部材とからなる水分摂取補助具全体としての外形形状を小さくして、収納し易い状態に持っていくことが可能となる。
【考案の効果】
【００１７】
本考案によれば、特に、ベッドを利用する被介護者が水分を摂取するための飲料用容器を載置保持するために使用するのに好適な水分摂取補助具を提供することができる。
【図面の簡単な説明】
【００１８】
【図１】本考案の一実施形態における水分摂取補助具の構成を示す斜視図（第２飲料用カップ保持部を折り畳んだ状態）
【図２】本考案の一実施形態における水分摂取補助具の構成を示す斜視図（第２飲料用カップ保持部を開いた状態）
【図３】本考案の一実施形態における水分摂取補助具の使用状態を示す斜視図（第２飲料用カップ保持部を折り畳んだ状態で、かつ、飲料用カップを載置保持していない状態）
【図４】本考案の一実施形態における水分摂取補助具の使用状態を示す斜視図（第２飲料用カップ保持部を開いた状態で、かつ、飲料用カップを載置保持していない状態）
【図５】本考案の一実施形態における水分摂取補助具の使用状態を示す斜視図（第２飲料用カップ保持部を折り畳んだ状態で、かつ、飲料用カップを載置保持した状態）
【図６】本考案の一実施形態における水分摂取補助具の使用状態を示す斜視図（第２飲料用カップ保持部を開いた状態で、かつ、飲料用カップを載置保持した状態）
【図７】本考案の一実施形態における水分摂取補助具の他の構成を示す斜視図（飲料用カップ保持部材を開いた状態、カードリングについては図示せず）
【図８】本考案の一実施形態における水分摂取補助具の他の構成を示す斜視図（飲料用カップ保持部材を折り畳んだ状態、カードリングについては図示せず）
【考案を実施するための形態】
【００１９】
以下、好適な実施形態を用いて本考案をさらに具体的に説明する。但し、下記の実施形態は本考案を具現化した例に過ぎず、本考案はこれに限定されるものではない。
【００２０】
［水分摂取補助具の構成］
まず、本考案の一実施形態における水分摂取補助具の構成について、図１，図２を参照しながら説明する。
【００２１】
図１は本考案の一実施形態における水分摂取補助具の構成を示す斜視図（第２飲料用カップ保持部を折り畳んだ状態）、図２は当該水分摂取補助具の構成を示す斜視図（第２飲料用カップ保持部を開いた状態）である。
【００２２】
図１，図２に示す本実施形態の水分摂取補助具１は、ベッド９のサイドレール１０に着脱可能に取り付けて、被介護者が水分を摂取するための飲料用カップ１１を載置保持するために使用される水分摂取補助具である（図５，図６を参照）。
【００２３】
図１，図２に示すように、水分摂取補助具１は、ベッド９のサイドレール１０の内側に取り付けられる縦長長方形板状の取付部材２（図３から図６を参照）と、当該取付部材２の正面側下端に略垂直に連結固定された飲料用カップ保持部材３と、を備えている。
飲料用カップ保持部材３は、連結端側の略正方形板状の第１飲料用カップ保持部４と、自由端側の、第１飲料用カップ保持部４と同じ大きさの第２飲料用カップ保持部５と、からなっている。第１飲料用カップ保持部４には、飲料用カップ１１（図５，図６を参照）を載置保持するための有底の略円筒状の第１飲料用カップ保持孔４ａが穿設され、第２飲料用カップ保持部５には、飲料用カップ１１を載置保持するための貫通した略円筒状の第２飲料用カップ保持孔５ａが穿設されている。第１飲料用カップ保持孔４ａ及び第２飲料用カップ保持孔５ａの内周面に、緩衝材を配置してもよい。この場合、例えば、後述する第１切り欠き４ｂと第２切り欠き５ｂとを省略し、この緩衝材に、飲料用カップ１１の側面や取っ手１１ａを当接させ、飲料用カップ１１を固定してもよい。
第２飲料用カップ保持部５は、ヒンジ６を介して第１飲料用カップ保持部４に対し折り畳み可能に設けられている。そして、第２飲料用カップ保持部５を、第１飲料用カップ保持部４に対し畳んだ状態において、第１飲料用カップ保持孔４ａと第２飲料用カップ保持孔５ａとは、連接した状態となる。
【００２４】
以上説明した、本実施形態の水分摂取補助具１の構成によれば、取付部材２を、ベッド９の例えばサイドレール１０の内側に取り付け、取付部材２の正面側下端に略垂直に連結固定された飲料用カップ保持部材３を、ベッド９の例えばシーツ１４（図３等を参照）等の上に配置することができる。飲み物が入った飲料用カップ１１は、第１及び第２飲料用カップ保持孔４ａ，５ａ（第２飲料用カップ保持部５を折り畳んだ状態）あるいは第２飲料用カップ保持孔５ａ（第２飲料用カップ保持部５を開いた状態）に載置保持され、被介護者は、ベッド９に寝たままの状態やベッドをギャッチアップした状態でも、例えばストロー等を使って、飲料用カップ１１内の飲み物（水分）を摂取することができる。
従って、本実施形態の水分摂取補助具１の構成によれば、ベッド９を利用する被介護者が水分を摂取するための飲料用カップ１１を載置保持するために使用するのに好適な水分摂取補助具を提供することが可能となる。
また、第２飲料用カップ保持部５を、第１飲料用カップ保持部４に対し開いた状態にして使用し、飲料用カップ１１を第２飲料用カップ保持孔５ａに載置して保持すれば、より寝たきりの被介護者の近くに飲料用カップ１１を置くことができる。従って、かかる使用態様によれば、ベッド９を利用する被介護者が水分を摂取するための飲料用カップ１１を載置保持するために使用するのにさらに好適となる。
【００２５】
また、第２飲料用カップ保持部５を、第１飲料用カップ保持部４に対し折り畳んだ状態において、第１飲料用カップ保持孔４ａと第２飲料用カップ保持孔５ａとは、連接した状態となるようにされているので、第２飲料用カップ保持部５を、第１飲料用カップ保持部４に対し折り畳んだ状態において、第１及び第２飲料用カップ保持孔４ａ，５ａに飲料用カップ１１をうまく載置して保持することが可能となる。
【００２６】
以下、さらに詳細に説明する。
本実施形態の水分摂取補助具１は、カードリング８ａ，８ｂ，８ｃ，８ｄを備えている。カードリング８ａ，８ｂを、それぞれ、取付部材２の左右の小孔２ａに通した後、ベッド９のサイドレール１０に掛けることにより、取付部材２を、ベッド９のサイドレール１０の内側に取り付けることができるようにされている（図３，図４を参照）。
また、取付部材２と略正方形板状の補強材７とを重ね合わせ、取付部材２及び補強材７における左右の小孔２ａの位置を合わせ、これらの左右の位置を合わせた小孔２ａに、それぞれ、カードリング８ｃ，８ｄを通すことで、取付部材２に補強材７を固定できる。飲料用カップ保持部材３は、当該補強材７の下端に連結固定されている。尚、補強材７を取付部材２に固定する構成は、カードリング８ｃ，８ｄに限らず、補強材７を取付部材２に固定できれば、例えば、位置を合わせた取付部材２及び補強材７における小孔２ａに、挿入部材（例えば、ボルト等）を挿入する等の任意の構成とすることができる。
また、取付部材２の左右の側縁部には、それぞれ、複数（例えば、４つ）の貫通した小孔２ａが縦一列に等間隔で穿設されている。取付部材２における、これらの小孔２ａのいずれかと、補強材７の小孔２ａとの位置を合わせ、カードリング８ｃ，８ｄを通すことで、補強材７の高さを調整することが可能となる。尚、取付部材２が予め複数の孔が形成されている板材で構成した場合、小孔２ａは、この予め形成された孔としてもよい。
【００２７】
第１飲料用カップ保持部４に穿設された第１飲料用カップ保持孔４ａの内周面には、飲料用カップ１１の取っ手１１ａが嵌まり込む第１切り欠き４ｂが形成されている。また、第２飲料用カップ保持部５に穿設された第２飲料用カップ保持孔５ａの内周面にも、飲料用カップ１１の取っ手１１ａが嵌まり込む第２切り欠き５ｂが形成されている。第１及び第２切り欠き４ｂ，５ｂは、それぞれ、９０°間隔で４つ形成されている。そして、各４つの第１及び第２切り欠き４ｂ，５ｂは、第２飲料用カップ保持部５を、第１飲料用カップ保持部４に対し折り畳んだ状態において、各第１切り欠き４ｂと各第２切り欠き５ｂとが連接した状態となるように配置されている。尚、第１切り欠き４ｂ及び第２切り欠き５ｂは、省略してもよい。
【００２８】
かかる構成によれば、第２飲料用カップ保持部５を、第１飲料用カップ保持部４に対し折り畳んだ状態において、第１及び第２飲料用カップ保持孔４ａ，５ａに飲料用カップ１１を載置して保持したときに、飲料用カップ１１の取っ手１１ａを、連接した状態の第１及び第２切り欠き４ｂ，５ｂに嵌まり込ませることができる。そして、これにより、飲料用カップ１１を安定的に保持することが可能となる。
【００２９】
［水分摂取補助具の使用方法］
次に、本考案の一実施形態における水分摂取補助具の使用方法について、図３から図６をも参照しながら説明する。
【００３０】
図３は本考案の一実施形態における水分摂取補助具の使用状態を示す斜視図（第２飲料用カップ保持部を折り畳んだ状態で、かつ、飲料用カップを載置保持していない状態）、図４は当該水分摂取補助具の使用状態を示す斜視図（第２飲料用カップ保持部を開いた状態で、かつ、飲料用カップを載置保持していない状態）、図５は当該水分摂取補助具の使用状態を示す斜視図（第２飲料用カップ保持部を折り畳んだ状態で、かつ、飲料用カップを載置保持した状態）、図６は当該水分摂取補助具の使用状態を示す斜視図（第２飲料用カップ保持部を開いた状態で、かつ、飲料用カップを載置保持した状態）である。
【００３１】
まず、図３に示すように、例えば、介護者は、水分摂取補助具１の高さを調整して、水分摂取補助具１をベッド９のサイドレール等に取り付ける。具体的には、介護者は、ベッド９の内側（被介護者がいる方）に水分摂取補助具１を配置し、飲料用カップ保持部材３に飲料用カップ１１を載置した場合に、被介護者が飲料用カップ１１から水分を摂取し易い位置の高さになるように、水分摂取補助具１の高さを調節する。そして、この調節した位置で水分摂取補助具１の高さを維持できるように、ベッド９のサイドレール等の横架部材の直下にある取付部材２の左右の小孔２ａ（図３に示す例では、上から２番目の小孔２ａ）に、カードリング８ａ，８ｂを、それぞれ、通した後、ベッド９の一番上のサイドレール１０に掛けることにより、取付部材２を、ベッド９のサイドレール１０の内側に取り付ける。このとき、飲料用カップ保持部材３は、第２飲料用カップ保持部５が第１飲料用カップ保持部４に対し折り畳まれた状態で、ベッド９のシーツ１４の上方に配置される。
【００３２】
次いで、図３，図５に示すように、連接した状態の第１及び第２飲料用カップ保持孔４ａ，５ａに、飲み物が入った飲料用カップ１１を載置して保持する。このとき、飲料用カップ１１の取っ手１１ａは、連接した状態の第１及び第２切り欠き４ｂ，５ｂに嵌まり込んだ状態となり、これにより、飲料用カップ１１が安定的に保持される。
【００３３】
被介護者は、ベッド９に寝たままの状態で、例えばストロー等を使って、飲料用カップ１１内の飲み物（水分）を摂取する。
【００３４】
また、水分摂取補助具１は、図４に示すように、第２飲料用カップ保持部５を、第１飲料用カップ保持部４に対し開いた状態にして使用することもできる。この場合、飲み物が入った飲料用カップ１１は、図６に示すように、第２飲料用カップ保持部５に穿設された第２飲料用カップ保持孔５ａに載置して保持される。このとき、飲料用カップ１１の取っ手１１ａは、第２切り欠き５ｂに嵌まり込んだ状態となり、これにより、飲料用カップ１１が安定的に保持される。
このように、第２飲料用カップ保持部５を、折り畳んだ状態から開いた状態にすると、より寝たきりの被介護者の近くに飲料用カップ１１を置くことができ、被介護者は、例えばストロー等を使って、飲料用カップ１１内の飲み物（水分）をより摂取し易くなる。
【００３５】
尚、上記実施形態においては、縦長長方形板状の取付部材２を備えた水分摂取補助具１を例に挙げて説明した。しかし、本考案は必ずしもこのような構成に限定されるものではない。取付部材は、正面側下端に飲料用カップ（容器）保持部材３を連結できる形状のものであればよい。
【００３６】
また、上記実施形態においては、取付部材２の正面側下端部に補強材７が固定され、飲料用カップ保持部材３が、当該補強材７の下端に連結固定される場合を例に挙げて説明した。しかし、本考案は必ずしもこのような構成に限定されるものではない。補強材は、任意の部材であり、必要に応じて設けられるものである。
【００３７】
また、上記実施形態においては、第１飲料用カップ（容器）保持部４に、飲料用カップ１１を載置保持するための有底の略円筒状の第１飲料用カップ（容器）保持孔４ａが穿設されている場合を例に挙げて説明した。しかし、本考案は必ずしもこのような構成に限定されるものではない。第１飲料用カップ（容器）保持孔は、貫通していてもよい。
【００３８】
また、上記実施形態においては、第１及び第２飲料用カップ（容器）保持孔４ａ，５ａの内周面に、それぞれ、飲料用カップ（容器）１１の取っ手１１ａが嵌まり込む第１及び第２切り欠き４ｂ，５ｂが形成されている場合を例に挙げて説明した。しかし、本考案は必ずしもこのような構成に限定されるものではない。例えば、使用する飲料用容器が取っ手の付いていないコップ等のみである場合には、切り欠きを形成する必要はない。
【００３９】
また、上記実施形態においては、第１及び第２切り欠き４ｂ，５ｂが、それぞれ、９０°間隔で４つ形成されている場合を例に挙げて説明した。しかし、本考案は必ずしもこのような構成に限定されるものではない。第１及び第２切り欠きの数は、それぞれ、例えば、１つであって２つであってもよく、また、３つであっても５つ以上であってもよい。
【００４０】
また、上記実施形態においては、カードリング８ａ，８ｂを、それぞれ、取付部材２の左右の小孔２ａに通した後、ベッド９のサイドレール１０に掛けることにより、水分摂取補助具１をベッド９に取り付ける場合を例に挙げて説明した。しかし、本考案は必ずしもこのような構成に限定されるものではない。取付部材の背面に、例えば特許文献１に記載されているような弾性樹脂のクリップを設け、当該クリップをベッド９のサイドレール１０に嵌めることにより、水分摂取補助具をベッド９に取り付けるようにしてもよい。
【００４１】
また、上記実施形態においては、２つのカードリング８ａ，８ｂを、それぞれ、取付部材２の上から２番目の左右の小孔２ａに通した後、ベッド９の一番上のサイドレール１０に掛けるようにした場合を例に挙げて説明した。しかし、本考案は必ずしもこのような構成に限定されるものではない。例えば、さらに２つのカードリングを、それぞれ、取付部材２の一番下の左右の小孔２ａに通した後、ベッド９の一番下のサイドレール１０に掛けるようにしてもよい。このようにすれば、取付部材２を、ベッド９のサイドレール１０の内側に、より安定的に取り付けることができる。
【００４２】
また、上記実施形態においては、水分摂取補助具１を、ベッド９のサイドレール１０に取り付ける場合を例に挙げて説明した。しかし、本考案は必ずしもこのような構成に限定されるものではない。水分摂取補助具は、ベッドの一部に取り付けられればよく、例えば、頭部側のフレームに取り付けることもできる。
【００４３】
また、上記実施形態においては、飲料用カップ（容器）保持部材３が取付部材２の正面側下端に連結固定されている場合を例に挙げて説明した。しかし、本考案は必ずしもこのような構成に限定されるものではない。飲料用カップ（容器）保持部材３は、取付部材２に対し折り畳み可能に設けられていてもよい（図７，図８を参照）。
具体的に説明すると、図７，図８に示すように、かかる構成を有する水分摂取補助具１２において、飲料用カップ保持部材３は、ヒンジ１３を介して取付部材２に対し折り畳み可能に設けられている。そして、水分摂取補助具１２の使用状態（飲料用カップ保持部材３を開いた状態）において、飲料用カップ保持部材３は、取付部材２の正面側下端に略垂直に連結された状態となる（図７の状態）。すなわち、飲料用容器保持部材は、少なくとも水分摂取補助具の使用状態において、取付部材の正面側下端に略垂直に連結されていればよい。
かかる構成によれば、飲料用カップ（容器）保持部材３を、取付部材２に対し折り畳むことにより、取付部材２と飲料用カップ（容器）保持部材３とからなる水分摂取補助具１２全体としての外形形状を小さくして、収納し易い状態に持っていくことが可能となる。
【符号の説明】
【００４４】
１，１２  水分摂取補助具
２  取付部材
２ａ  小孔
３  飲料用カップ（容器）保持部材
４  第１飲料用カップ（容器）保持部
４ａ  第１飲料用カップ（容器）保持孔
４ｂ  第１切り欠き
５  第２飲料用カップ（容器）保持部
５ａ  第２飲料用カップ（容器）保持孔
５ｂ  第２切り欠き
６，１３  ヒンジ
７  補強材
８ａ，８ｂ，８ｃ，８ｄ  カードリング
９  ベッド
１０  サイドレール
１１  飲料用カップ（容器）
１１ａ  取っ手
１４  シーツ
【図１】
0003227792.tif 000003
【図２】
0003227792.tif 000004
【図３】
0003227792.tif 000005
【図４】
0003227792.tif 000006
【図５】
0003227792.tif 000007
【図６】
0003227792.tif 000008
【図７】
0003227792.tif 000009
【図８】
0003227792.tif 000010